(57)【要約】      （修正有）【課題】  動物がプール等の水に入る前に水に対する恐怖心等を取り払うことができる動物用水慣れ器具を提供する。【解決手段】  互いに平行な短辺側の頂面５と長辺側の底面１６とを有すると共に、底面１６より垂直に立上る基端面１７と底面１６より傾斜して立上る傾斜面７とを有することにより断面形状がほぼ台形となる台形柱形状の第１アプローチ台９と、第１アプローチ台９と同形状の第２アプローチ台１０と、第１、第２アプローチ台９、１０とほぼ同一高さでかつほぼ同一幅の上面開放の直方体形状の水槽２とを具備し、第１、第２アプローチ台９、１０を水槽２の前面壁３ａの槽内面に接するように配置することで、動物１４が水槽２の外から第１アプローチ台９の傾斜面７を登り、第１アプローチ台９の頂面５および第２アプローチ台１０の頂面５を経て、第２アプローチ台１０の傾斜面７から降りて水槽２内へ導かれる。【選択図】  図１
2007330195.tif 000002
【特許請求の範囲】
【請求項１】
互いに平行な短辺側の頂面と長辺側の底面とを有すると共に、底面より垂直に立上る基端面と底面より傾斜して立上る傾斜面とを有することにより断面形状がほぼ台形となる台形柱形状の第１アプローチ台と、
第１アプローチ台と同形状の第２アプローチ台と、
第１、第２アプローチ台とほぼ同一高さでかつほぼ同一幅の上面開放の直方体形状の水槽とを具備し、
第１アプローチ台をその基端面が水槽の前面壁の槽外面に接するように配置すると共に、第２アプローチ台をその基端面が水槽の前面壁の槽内面に接するように配置することで、動物が水槽外から第１アプローチ台の傾斜面を登り、第１アプローチ台の頂面および第２アプローチ台の頂面を経て、第２アプローチ台の傾斜面から降りて水槽内へ導かれるように構成したことを特徴とする動物用水慣れ器具。
【請求項２】
第１アプローチ台と同形状の第３アプローチ台および第４アプローチ台をさらに具備し、
第１アプローチ台をその基端面が水槽の前面壁の槽外面に接するように配置すると共に、第２アプローチ台をその基端面が水槽の前面壁の槽内面に接するように配置し、第３アプローチ台をその基端面が水槽の後面壁の槽内面に接するように配置すると共に、第４アプローチ台をその基端面が水槽の後面壁の槽外面に接するように配置することで、動物が水槽外から第１アプローチ台の傾斜面を登り、第１アプローチ台の頂面および第２アプローチ台の頂面を経て、第２アプローチ台の傾斜面から降りて水槽内へ導かれ、かつ動物が水槽内から第３アプローチ台の傾斜面を登り、第３アプローチ台の頂面および第４アプローチ台の頂面を経て、第４アプローチ台の傾斜面から降りて水槽外へ導かれるように構成した請求項１記載の動物用水慣れ器具。
【請求項３】
収納時に、第１アプローチ台と第２アプローチ台を重ね合わせ、かつ第３アプローチ台と第４アプローチ台を重ね合わせることにより、これら４つのアプローチ台が水槽内にほぼデッド空間なしに収納されるように構成した請求項２記載の動物用水慣れ器具。
【発明の詳細な説明】
【技術分野】
【０００１】
本発明は、動物用水慣れ器具に関し、特に動物がプール等の水に入る前に水に対する恐怖心等を克服し得る水慣れ器具に関するものである。
【背景技術】
【０００２】
近年、動物がリハビリを行うための設備として、本発明者は動物用プールを発明し、これを特許出願している（特許文献１参照。）。この動物用プールは、動物のリハビリに求められる種々の運動パターンを行うことができ、かつ予測不可能な行動を起こし得る動物に適応したものであって、リング状に形成したプール槽と、前記プール槽内に配設され、プール槽の底部から側壁上部までの間を昇降し、かつ回転可能なリング状の回転床板とを備えた構成にする。また、回転床板の上方位置において動物を昇降動可能に吊保持する複数の動物吊保持手段と、前記複数の動物吊保持手段を回転床板に沿って回転させる動物吊保持機構とを備えた構成であった。
【特許文献１】特願２００６−１３４６７９号
【発明の開示】
【発明が解決しようとする課題】
【０００３】
しかしながら、上記特許文献１記載の動物用プールでは、水に対し恐怖心を抱いている動物は、プール内に入ることができないという問題があった。また仮にプール内に入ったとしても水に対する恐怖のあまりリハビリのカリキュラムをこなすことができないという問題があった。従って、動物が水に対し恐怖を抱いている状態では、例え動物のリハビリに求められる種々の運動パターンを行うことができる施設（動物用プール）であっても、十分なリハビリ効果を得ることが困難であった。
【０００４】
そこで、本発明は上記問題点に鑑み、動物がプール等の水に入る前に水に対する恐怖心等を取り払うことができる動物用水慣れ器具を提供することを目的とする。
【課題を解決するための手段】
【０００５】
本発明は上記目的を達成するため、互いに平行な短辺側の頂面と長辺側の底面とを有すると共に、底面より垂直に立上る基端面と底面より傾斜して立上る傾斜面とを有することにより断面形状がほぼ台形となる台形柱形状の第１アプローチ台と、第１アプローチ台と同形状の第２アプローチ台と、第１、第２アプローチ台とほぼ同一高さでかつほぼ同一幅の上面開放の直方体形状の水槽とを具備し、第１アプローチ台をその基端面が水槽の前面壁の槽外面に接するように配置すると共に、第２アプローチ台をその基端面が水槽の前面壁の槽内面に接するように配置することで、動物が水槽外から第１アプローチ台の傾斜面を登り、第１アプローチ台の頂面および第２アプローチ台の頂面を経て、第２アプローチ台の傾斜面から降りて水槽内へ導かれるように構成したことを特徴とする。
【０００６】
本発明によれば、水槽と複数のアプローチ台を組み合わせることで、動物をアプローチ台を介して水槽内へ導くことができ、そして、この導く最中に２つのアプローチ台の組み合わせにより形成された一連の頂面（踊り場面）で、水に入ることを躊躇する動物に、水に対する恐怖心を克服させる機会を与えることができる。さらに、この動物用水慣れ器具は、水槽と複数のアプローチ台から構成されていることから、施工工事が不要で、かつ持ち運びが可能となる。
【０００７】
本発明において、第１アプローチ台と同形状の第３アプローチ台および第４アプローチ台をさらに具備し、第１アプローチ台をその基端面が水槽の前面壁の槽外面に接するように配置すると共に、第２アプローチ台をその基端面が水槽の前面壁の槽内面に接するように配置し、第３アプローチ台をその基端面が水槽の後面壁の槽内面に接するように配置すると共に、第４アプローチ台をその基端面が水槽の後面壁の槽外面に接するように配置することで、動物が水槽外から第１アプローチ台の傾斜面を登り、第１アプローチ台の頂面および第２アプローチ台の頂面を経て、第２アプローチ台の傾斜面から降りて水槽内へ導かれ、かつ動物が水槽内から第３アプローチ台の傾斜面を登り、第３アプローチ台の頂面および第４アプローチ台の頂面を経て、第４アプローチ台の傾斜面から降りて水槽外へ導かれるように構成すると好適である。これにより、水槽に入るためのアプローチ台と水槽から出るためのアプローチ台とを区別することができるので、動物の水槽への出入りを一方通行にすることができ、より水に対する克服心を養うことができる。またこのような一方通行にすることで、複数の動物が同時に利用することができる。
【０００８】
また、収納時に、第１アプローチ台と第２アプローチ台を重ね合わせ、かつ第３アプローチ台と第４アプローチ台を重ね合わせることにより、これら４つのアプローチ台が水槽内にほぼデッド空間なしに収納されるように構成すると好ましい。これにより各アプローチ台を水槽内に収納することが容易となる。すなわち、第１アプローチ台の上下を逆さまにし、第１アプローチ台の傾斜面と第２アプローチ台の傾斜面をそれぞれピッタリと合う様に組み合わせ、第３アプローチ台および第４アプローチ台についても同様に組み合わせ、これらを水槽内に収納することができる。
【発明の効果】
【０００９】
本発明によれば、簡単な構成で、持ち運びができ、動物がプール等の水に入る前に水に対する恐怖心等を取り払うことができる組立容易な動物用水慣れ器具を提供することができる。
【発明を実施するための最良の形態】
【００１０】
以下に本発明の実施形態を図１〜図４に基づいて詳細に説明する。図１は本実施形態の動物用水慣れ器具を示す斜視図である。図２は本実施形態の動物用水慣れ器具を示す平面図である。図３は本実施形態の動物用水慣れ器具を示す断面図である。図４は本実施形態の動物用水慣れ器具を示し、そのアプローチ台を収納した状態を示す断面図である。
【００１１】
本実施形態の動物用水慣れ器具１は、図１に示すように、互いに平行な短辺側の頂面５と長辺側の底面１６とを有すると共に、底面１６より垂直に立上る基端面１７と底面１６より傾斜して立上る傾斜面７とを有することにより断面形状がほぼ台形となる台形柱形状の第１アプローチ台９と、第１アプローチ台９と同形状の第２アプローチ台１０と、第１、第２アプローチ台９、１０とほぼ同一高さでかつほぼ同一幅の上面開放の直方体形状の水槽２とを具備し、第１アプローチ台９をその基端面１７が水槽２の前面壁３ａの槽外面に接するように配置すると共に、第２アプローチ台１０をその基端面１７が水槽２の前面壁３ａの槽内面に接するように配置することで、犬等の動物１４が水槽２の外から第１アプローチ台９の傾斜面７を登り、第１アプローチ台９の頂面５および第２アプローチ台１０の頂面５を経て、第２アプローチ台１０の傾斜面７から降りて水槽２内へ導かれるように構成したものである。なお、図１に仮想線で示すように、第１アプローチ台９と同形状の第３アプローチ台１１および第４アプローチ台１２をさらに具備し、第３アプローチ台１１をその基端面１７が水槽２の後面壁３ｂの槽内面に接するように配置すると共に、第４アプローチ台１２をその基端面１７が水槽２の後面壁３ｂの槽外面に接するように配置することで、動物１４が水槽２外から第１アプローチ台９の傾斜面７を登り、第１アプローチ台９の頂面５および第２アプローチ台１０の頂面５を経て、第２アプローチ台１０の傾斜面７から降りて水槽２内へ導かれ、かつ動物１４が水槽２内から第３アプローチ台１１の傾斜面７を登り、第３アプローチ台１１の頂面５および第４アプローチ台１２の頂面５を経て、第４アプローチ台１２の傾斜面７から降りて水槽２外へ導かれるように構成にしても良い。これにより、水槽２に入るための第１アプローチ台９および第２アプローチ台１０と水槽２から出るための第３アプローチ台１１および第４アプローチ台１２とを区別することができるので、動物１４の水槽２への出入りを一方通行にすることができ、より水に対する克服心を養うことができる。またこのような一方通行にすることで、複数の動物１４が同時に利用することができる。
【００１２】
前記水槽２は、FRPにより一定高さＣ（図３参照。）に形成された前後面壁３ａ、３ｂおよび左右面壁３ｃ、３ｄに囲まれた上面開放の直方体形状に形成されており、図２に示すように、短辺側の前後面壁３ａ、３ｂの長さＡは、約１０００ｍｍに形成されており、長辺側の左右面壁３ｃ、３ｄの長さＢは、約３０００ｍｍに形成されており、また側壁３（３ａ〜３ｄ）の高さＣは、図３に示すように約４００ｍｍに形成されている。なおこの水槽２のサイズは、利用対象である動物１４が大型犬の場合に適したサイズであって、例えば利用動物１４が小型犬の場合、それぞれのサイズを変更すれば良い。具体的には、短辺側長さＡを約６００ｍｍ、長辺側長さＢを約２４００ｍｍ、高さＣを約２００ｍｍにすれば好適である。
【００１３】
前記各アプローチ台９〜１２は、FRPにより縦断面がほぼ台形形状に中空射出形成されており、図３に示すように、縦断面台形形状の上底に該当する頂面５の縦長Ｄは約２５０ｍｍ、縦断面台形形状の下底に該当する底面１６の縦長Ｅは約１２５０ｍｍ、高さＦは約４００ｍｍ、傾斜面７の角度Ｈを約２２度に形成されており、さらに図２に示すように、横幅Ｇは約１０００ｍｍに形成されている。なおこのアプローチ台９〜１２のサイズは、上記水槽２のサイズと同様に、大型犬が対象であって、利用動物１４が小型犬の場合、頂面５の縦長Ｄを約２５０ｍｍ、底面１６の縦長Ｅを約９５０ｍｍ、高さＦを約２００ｍｍ、横幅Ｇを約６００ｍｍ、角度Ｈを約１６度にすれば好適である。
【００１４】
このように、水槽２は、その側壁３の高さＣと各アプローチ台９〜１２の高さＦと同一高さ（約４００ｍｍ）に形成され、その短辺側の側壁長さＡと、各アプローチ台９〜１２の横幅Ｇとほぼ同一長さ（約１０００ｍｍ）に形成され、その長辺側の側壁長さＢと、各アプローチ台９〜１２の縦断面台形形状の上底に該当する頂面５の縦長Ｄの２つ分に、各アプローチ台９〜１２の縦断面台形形状の下底に該当する底面１６の縦長Ｅの２つ分を加えた長さに（Ｅ＋Ｄ＋Ｄ＋Ｅ＝３０００ｍｍ）形成されている。これにより、図４に示すように、各アプローチ台９〜１２を水槽２内に収納することが容易となる。すなわち、第１アプローチ台９の上下を逆さまにし、第１アプローチ台９の傾斜面７と第２アプローチ台１０の傾斜面８をそれぞれピッタリと合う様に重ね合わせ、第３アプローチ台１１および第４アプローチ台１２についても同様に重ね合わせ、これらを水槽２内にほぼデッド空間なしに収納することができる。
【００１５】
なお、図３に示すように、各アプローチ台の傾斜面７の表面には、滑り止め用のマット１５を敷くと好適である。またアプローチ台９〜１２の形状について、本実施形態では断面形状を正確な台形としているが、図５に仮想線で示すように、その傾斜面７が平面でなく湾曲面Ｙとなっていても良く、またその底面１６に凹部Ｘが形成されていても良く、要は、本発明のアプローチ台９〜１２の機能が果たしうるように、断面がほぼ台形状になっておればよい。また、第１、第２アプローチ台９、１０の傾斜面７、両頂面５に、特定の模様を設け、さらに第３、第４アプローチ台１１、１２の傾斜面７や両頂面５に、前記模様とは異なる模様を設けると好適である。これにより、動物１４が動物用水慣れ器具１を繰り返し利用することで、入口と出口を学習することができ、この両模様を、例えば動物がリハビリを行うための設備としての動物用プール（従来例参照。）の入口、出口に設けると、前記学習により、スムースに動物を動物用プールの内外へ導くことが期待できる。
【００１６】
次に、本実施形態の動物用水慣れ器具１の利用方法を説明する。
【００１７】
先ず、図１に実線で示すように、水槽２の前面壁３ａを挟むように第１アプローチ台９および第２アプローチ台１０を配置した状態の動物用水慣れ器具１の利用方法を説明する。
【００１８】
動物１４は、水槽２外より第１アプローチ９の傾斜面７を登り（１４ａ）、二つの頂面５、５（踊り場面１３）にて水に入ることを躊躇する動物１４に、水に対する恐怖心を克服させる機会を与え（１４ｂ）、動物１４自ら或いは飼い主等の後押しにより第２アプローチ１０の傾斜面７から降りて（１４ｃ）、水槽２内へ導く（１４ｄ）。水槽２には動物１４の下半身が浸かる程度の水が貯められており、水槽２内にて水慣れ訓練を行う。そして、水慣れ訓練が終了すると、動物１４は、第２アプローチ１０の傾斜面７、踊り場面１３、第１アプローチ９の傾斜面７を経て水槽２外へ出る。
【００１９】
次に、図１に実線および仮想線で示すように、水槽２の前面壁３ａを挟むように第１アプローチ台９および第２アプローチ台１０を配置した状態に、さらに水槽２の後面壁３ｂを挟むように第３アプローチ台１１および第４アプローチ台１２を配置した状態の動物用水慣れ器具１の利用方法を説明する。
【００２０】
動物１４は、水槽２外より第１アプローチ９の傾斜面７を登り（１４ａ）、踊り場面１３にて水に対する恐怖心を克服させる機会を与え（１４ｂ）、動物１４自ら或いは飼い主等の後押しにより第２アプローチ１０の傾斜面７から降り（１４ｃ）、水槽２内へ導く（１４ｄ）。そして、水槽２内にて水慣れ訓練を行った後、動物１４は、第３アプローチ１１の傾斜面７、踊り場面１３、第４アプローチ９の傾斜面７を経て水槽２外へ出る。これにより、水槽２に入るためのアプローチ台９、１０と水槽２から出るためのアプローチ台１１、１２とを区別することができるので、動物１４の水槽２への出入りを一方通行にすることができ、より水に対する克服心を養うことができる。
【産業上の利用可能性】
【００２１】
本発明は、動物の水に対する恐怖心等を克服し得るための水慣れ器具に利用すると好適なものである。
【図面の簡単な説明】
【００２２】
【図１】本発明の実施形態の動物用水慣れ器具を示す斜視図である。
【図２】本実施形態の動物用水慣れ器具を示す平面図である。
【図３】本実施形態の動物用水慣れ器具を示す断面図である。
【図４】本実施形態の動物用水慣れ器具を示し、そのアプローチ台を収納した状態を示す断面図である。
【図５】本発明の動物用水慣れ器具のアプローチ台の変形例を仮想線で示す断面図である。
【符号の説明】
【００２３】
１  動物用水慣れ器具
２  水槽
３  側壁
３ａ  前面壁（短辺側の側壁）
３ｂ  後面壁（短辺側の側壁）
３ｃ  右面壁（長辺側の側壁）
３ｄ  左面壁（長辺側の側壁）
５  頂面
７  傾斜面
９  第１アプローチ台
１０  第２アプローチ台
１１  第３アプローチ台
１２  第４アプローチ台
１３  踊り場面
１４  動物
１６  底面
１７  基端面
Ａ  短辺側長さ
Ｂ  長辺側長さ
Ｃ  高さ
Ｄ  踊り場面の縦長さ
Ｅ  下底縦長さ
Ｆ  高さ
Ｇ  横幅
Ｈ  傾斜面角度
【図１】
2007330195.tif 000003
【図２】
2007330195.tif 000004
【図３】
2007330195.tif 000005
【図４】
2007330195.tif 000006
【図５】
2007330195.tif 000007